(57)【要約】【課題】風力や気温が不十分で、自然乾燥によっては乾燥し難い時に大いに役立ち、又、“ドラム型洗濯機”タイプの電熱乾燥機の既述の如き多くの難点も大幅に改善した、温風発生部及び洗濯物を覆う保温カバーを備たスタンド式物干し器を提供する。【解決手段】基台部に立設した支柱部と、基台部に組込んだ温風発生部と、支柱部の上部に組付けられて洗濯物を引っ掛けるハンガー部とを備えた物干し器本体と、支柱部の上端に着脱自在に取付けられて、ハンガー部に掛けた洗濯物の全体を覆う保温カバーとを備えることを特徴とする。そして、基台部の直上に、円錐形乃至は角錐形を成して通気性を有する安全カバーを配設することにより、万一、ハンガー部から洗濯物がズリ落ちても、ヒーターを内蔵する基台部に直接触れない様にしたことも特徴とする。【選択図】　　　図１
0003097827.tif 000002
【実用新案登録請求の範囲】
【請求項１】
温風発生部が組込まれた基台部と、基台部に立設した支柱部と、支柱部の上部に組付けられて洗濯物を引っ掛けるハンガー部とを備えた物干し器本体と、
支柱部の上端に着脱自在に取付けられて、ハンガー部に掛けた洗濯物の全体を覆う保温カバーとを備えることを特徴とするスタンド式物干し器。
【請求項２】
保温カバーの頂面中央部に設けた挿通孔を通して、保温カバーの固定用の止栓又は止螺を、支柱部の頂端開口部に嵌着又螺止させる様にしたことを特徴とする請求項１記載のスタンド式物干し器。
【請求項３】
基台部の直上に、円錐形乃至は角錐形を成して通気性を有する安全カバーを配設することにより、万一、ハンガー部から洗濯物がズリ落ちても、ヒーターを内蔵する基台部に直接触れない様にしたことを特徴とする請求項１記載のスタンド式物干し器。
【請求項４】
支柱部の中間高さ位置に、洗濯物の小物を引っ掛ける為の補助ハンガーを着脱自在に取付けたことを特徴とする請求項１記載のスタンド式物干し器。
【請求項５】
ハンガー部を、洋傘の骨組状に形成し、その放射状に配置されたアームの部分に、洋服掛けのフック部を掛止させたり、洗濯挟みを取付ける様にしたことを特徴とする請求項１記載のスタンド式物干し器。
【請求項６】
ハンガー部は、外周リングと複数本のスポークとを備えた車輪状に形成されていることを特徴とする請求項１記載のスタンド式物干し器。
【請求項７】
ハンガー部を、支柱部に沿って上下動自在に組付けると共に、任意の高さ位置で固定させる固定手段を付設したことを特徴とする請求項１記載のスタンド式物干し器。
【考案の詳細な説明】
【０００１】
【考案の属する技術分野】
本考案は、温風発生用の電熱ヒーター及びフアンと、ハンガー部に吊り下げた洗濯物の全体に覆い被せる様にして着脱自在に取付けられる保温カバーとを備えて、乾燥性能に優れながら電力消費量が少なく、保管・運搬時にはコンパクトに分解することも出来るスタンド式物干し器に関する。
【０００２】
【従来の技術】
天気の良い日には戸外に据え置き、雨が降れば屋内でも使える様にしたスタンド式物干し器は、従来から様々なものが考えられて来た。
例えば、洋傘の骨格の様な形態を備えたハンガー部を、スタンド付きのポールに組付けたものがある。
或いは、この様なハンガー部を、ベランダの天井部の梁に吊り下げる様にしたものもある。
これ等の物干し器は、そのいずれもが、自然の風や気温に頼って洗濯物を乾かしている。
その一方で、“ドラム型洗濯機”タイプの、電熱ヒーターを用いた電熱乾燥機も普及している。
【０００３】
【考案が解決しようとする課題】
然しながら、上記の様に自然の風や気温に頼って乾燥させるタイプの、従来のスタンド式や吊下式の物干し器は、多数の洗濯物を混み合った状態でハンガーに掛けることもあって、気温の低い時や、風力が弱い時、或いは、雨天の日や、日陰で使う時には、乾きが甚だ遅い。
そして、“ドラム型洗濯機”タイプの電熱乾燥機は、高価である、電力消費量が多い、衣類同士がこすれ合って傷む、洗濯物にしわが付く、かなりの置き場所を要する等の、少なからぬ難点があった。
【０００４】
そこで、本考案の目的は、風力や気温が不十分で、自然乾燥に頼っては乾燥し難い時に大いに役立ち、又、“ドラム型洗濯機”タイプの電熱乾燥機の上述の如き多くの難点もほぼ解消させた、電熱式の温風発生部及び洗濯物を覆う保温カバーを備たスタンド式物干し器を提供するにある。
【０００５】
【課題を解決するための手段】
上記の目的を達成する為の、本考案によるスタンド式物干し器は、
温風発生部を組込んだ基台部と、基台部に立設した支柱部と、支柱部の上部に組付けられて洗濯物を引っ掛けるハンガー部とを備えた物干し器本体と、
支柱部の上端に着脱自在に取付けられて、ハンガー部に掛けた洗濯物の全体を覆う保温カバーとを備えることを特徴とする。
【０００６】
そして、保温カバーの頂面中央部に設けた挿通孔を通して、保温カバーの固定用の止栓又は止螺を、支柱部の頂端開口部に嵌着又螺止させる様にしたことも特徴とする。
又、基台部の直上に、円錐形乃至は角錐形を成して通気性を有する安全カバーを配設することにより、万一、ハンガー部から洗濯物がズリ落ちても、ヒーターを内蔵する基台部に直接触れない様にしたことも特徴とする。
更に、支柱部の中間高さ位置に、洗濯物の小物を引っ掛ける為の補助ハンガーを着脱自在に取付けたことも特徴とする。
ハンガー部は、洋傘の骨組状に形成し、その放射状に配置されたアームの部分に、洋服掛けのフック部を掛止させたり、洗濯挟みを取付ける様にするとよい。
或いは、ハンガー部は、外周リングと複数本のスポークとを備えた車輪状に形成してもよい。
そして、ハンガー部を、支柱部に沿って上下動自在に組付けると共に、任意の高さ位置で固定させる固定手段を付設してもよい。
【０００７】
【考案の実施の形態】
以下に、本考案の具体的な構成に就いて、図面を参照しながら説明する。
先ず、図１〜図５に、本考案による第１実施例のスタンド式物干し器（以後、単に「物干し器」と言う）を示した。
物干し器は、図１に示した物干し器本体１０１と、図３に示した保温カバー２００とから成る。
保温カバー２００は、図２に示した様にハンガー部に洗濯物を吊した物干し器本体１０１に、図３に示した様に覆い被せて用いるものである。
【０００８】
物干し器本体１０１の概略の構成は、図１に示した様に、温風発生部（図示略）を内蔵する基台部Ａに支柱部Ｂを立設し、その上端部に洗濯物を引っ掛ける為のハンガー部Ｃを組付けている。
保温カバー２００は、後述する様にして、支柱部Ｂの上端に着脱自在に固定される。
【０００９】
次に、この実施例の物干し器の細部の構造に就いて、順次説明する。
先ず、基台部Ａは、図１に示した様に、円盤形のケース状をした基盤体１に、３本の棒状脚２を着脱自在に三脚状に螺じ込んだ形態を備えている。
そして、基盤体１の内空部には、電熱ヒーターで熱せられた空気を、フアンによって吹き上げさせる様に構成した温風発生部を組込んでいる。
又、ケース状の基盤体１の下面には吸気口を、頂面には温風吹出口を設けている（図示略）。
【００１０】
基盤体１には、使用中の物干し器本体１０１に被せた保温カバー２００の中の湿度を検知する湿度センサと、検知した湿度が設定レベル以下に下がると、電熱ヒーターへの通電を断つ通電制御部を付設するとよい。
或いは、任意に設定した時間の経過後に通電を断つ、通電タイマーや、温風の温度調節用のボリューム等を設けてもよい。
【００１１】
支柱部Ｂは、上下に２分割されたパイプ材から成り、図１に示した様に、その下側支柱３Ａと上側支柱３Ｂとを、螺込式に着脱自在に連結させている。
下側支柱３Ａの下端は、基盤体１に螺込式に着脱自在に連結されている。
【００１２】
この実施例のハンガー部Ｃは、図１に示した様に、洋傘の骨組状に形成されており、水平向きに放射状に配置された複数本のアーム４に、図２に示した様に、衣類ハンガーＨのフックを引っ掛けられる様にしている。
５は棒状のリンク部材で、アーム４を受け支えると共に、各アーム４を洋傘の骨組状に同時に展開・折畳作動させる役割を果たす。
尚、アーム４には、洗濯挟みの類を取付けてもよい。
【００１３】
支柱部Ｂの２分割箇所には、図１に示した様に、洗濯物の小物を引っ掛ける為の補助ハンガーＤを着脱自在に取付けている
この実施例の補助ハンガーＤは、下側支柱３Ａと上側支柱３Ｂと間に挿嵌状態で挟み込まれる挿嵌リング６に、平面視Ｈ形に形成されたＨ形アーム７を取付けた構成を備えている。
Ｈ形アーム７にも、洗濯挟みの類を垂設してもよい。
補助ハンガーＤの形態は図示に限られず、適宜に設計変更しても勿論よい。
【００１４】
更に、ハンガー部Ｃは、上側支柱３Ｂに沿って上下動自在に組付けると共に、任意の高さ位置で固定させる為の固定手段を付設してもよい。
例えば、図１に示した様に、上側支柱３Ｂには、その上下方向に所定間隔を隔てて係合孔８を設ける。
【００１５】
一方、洋傘の骨組状のハンガー部Ｃの構成部材であって、上側支柱３Ｂに遊嵌されている摺動筒９には、バネ力により上側支柱３Ｂに向けて押圧付勢された、係合ノブ１０を組付けている。
そして、この複数の係合孔８と、そのいずかに選択的に押し込まれる係合ノブ１０との組み合わせによって、上記の固定手段が構成されている。
【００１６】
基台部Ａの直上箇所には、図５及び図６に示した様に、円錐形（或いは、角錐形）をした安全カバーＥを、支柱部Ｂと同軸状に組付けている。
尚、図１，図２では、安全カバーＥの図示を省略している。
安全カバーＥは耐熱材料で作られており、基盤体１に設けた前述の温風吹出口から吹き出す温風の上昇を妨げない様に、通気性のある籠状に形成している。
【００１７】
次に、保温カバー２００は、図２に示した状態の使用中の物干し器本体１０１に、図３に示した様に覆い被せて、乾燥用の温風の無駄な散逸を防ぎ洗濯物の
乾わきを促進させると共、電力の無駄使いを防ぐ役割を果たすものである。
【００１８】
この実施例の保温カバー２００は、適度の通気性と良好な断熱性とを併せ備えた布製で、その形状は、図３に示した様に、周壁面１１、頂面１２及び底面１３を備えた、円筒形の袋状に形成されている。
そして、図５示した様に、底面１３には基盤体１よりは幾分大きい刳抜孔１３ａを設けている。
【００１９】
又、周壁面１１から底面１３に掛けて、ジッパー付きの一条の切れ目１４を設けて、保温カバー２００を、この切れ目１４に沿って切り開ける様にしている。
尚、周壁面１１の上端側の周縁部には、ピアノ線等で作られた形状保持用リング（図示略）を縫い込んでもよい。
【００２０】
更に、図３，図４に示した様に、頂面１２の中央部には、保温カバー２００の固定用の止栓１５を挿通させる為の、鳩目付きの挿通孔１６を設けている。
物干し器本体１０１に覆い被せた保温カバー２００は、その頂面の挿通孔１６に差し込んだ止栓１５を、パイプ状の支柱部Ｂの頂端開口部ｂ（図４参照）に緊密に嵌着させることによって、支柱部Ｂの上端に着脱自在に固着させることが出来る。　尚、止栓１５に替えて、螺込式の止螺としてもよい。
【００２１】
次に、この実施例の物干し器の使い方に就いて、その一例を説明する。
物干し器本体１０１は、上記の様に複数の部品を、螺止式に着脱自在に連結し合体させた構成を備えている。
その為、物干し器の保管・輸送時には、物干し器本体１０１を、基盤体１と、３本の棒状脚２と、下側支柱３Ａと、折畳んだ状態のハンガー部Ｃが一体に取付けられた上側支柱３Ｂと、補助ハンガーＤとに分解して、コンパクトにまとめることが出来る。
【００２２】
この分解された複数の部品は、螺じ込み操作を行うだけで、図１に示した状態に、簡単・迅速に組立てることが出来て、工具の類は不要である。
組上がった物干し器本体１０１には、先ず、補助ハンガーＤに、靴下等の小物を洗濯挟みを使って吊り下げたうえ、図２に示した様に、ハンガー部Ｃの各アーム４に、衣服を掛けた衣類ハンガーＨを吊す等すればよい。
【００２３】
物干し器本体１０１に洗濯物を掛け終えたら、保温カバー２００を、切れ目１４のジッパーを開いた状態にして物干し器本体１０１に覆い被せたうえ、ジッパーを閉ざせば、洗濯物全体が保温カバー２００の中に包み込まれる（図２参照）。
そこで、頂面１２の真ん中の挿通孔１６を、支柱部Ｂの頂端開口部ｂに重ね合わせたうえ、図３に示した様に、止栓１５を、挿通孔１６を通して頂端開口部ｂに緊密に挿し込む。
これによって、保温カバー２００を、ズレ動かない様に支柱部Ｂの上端にしっかり固定させることが出来て、物干し器の使用準備は完了する。
【００２４】
そこで、基盤体１に設けてある電源スイッチを投入すると、電熱ヒーターとファンに通電されて、基盤体１の上面の温風吹出口から、適温に熱された乾燥用の温風が、保温カバー２００の内空部に向けて、継続的に吹き込まれる。
【００２５】
洗濯物は、保温カバー２００で包み込むことによって、温風発生部から吹き上げられて来る温風を、暫時、このカバー内に封じ込めることが出来る。
これによって、電熱ヒーターからの発生熱の無駄な散逸が抑制されて、洗濯物への伝熱効率を顕著に高められる。
洗濯物から蒸発した水分を含んで湿った空気は、継続して吹き上がって来る温風に押しやられ、布製の保温カバー２００の織り目を通して保温カバー２００の外に排出される。
【００２６】
ところで、温風発生部への通電中の知らないうちに、洗濯物が何等かのはずみで、ハンガー部Ｃや補助ハンガーＤからズレ落ちてしまう恐れも、無しとしない。
その様な場合に備えて、電熱ヒーターを収めた基盤体１の直上には、図５に示した様に、通気性のある円錐形の安全カバーＥを配設している。
【００２７】
その為、万一、上記の様に洗濯物がズレ落ちても、その下側に位置してかなり熱くなっている基盤体１に引っ掛かることなく、安全カバーＥの円錐形斜面に沿って、基盤体１の外周りに滑り落ちてしまう。
従って、熱されている基盤体１に引っ掛かった洗濯物が、過熱されて燃え出す恐れを未然に防ぐことが出来る。
【００２８】
時間の経過に連れて、保温カバー２００内の湿度が設定レベル以下に下がったことを、付設の湿度センサが検知すると、この検知信号に基づいて温風発生部への通電が断たれ、同時に、音やランプによる乾燥終了のシグナルを発する。
通電タイマーを用いた場合には、設定時間が経過すると温風発生部への通電が断たれる。
【００２９】
次に、図６に、物干し器本体の別の実施例を示した。
この実施例の物干し器本体１０２が、上記実施例の物干し器本体１０１と異なる点は、ハンガー部Ｃの構造に就いてだけである。
即ち、この実施例のハンガー部Ｃは、外周リング２１と、複数本のスポーク２２とを備えた車輪状に形成されている。
そして、外周リング２１に、衣類ハンガーＨを引っ掛けられる様にしている。
【００３０】
【考案の効果】
以上の説明によって明らかな様に、本考案によるスタンド式物干し器は、既存品に比べて、以下に列挙した如き実用上のより優れた多くの長所を備えている。
（ａ）　基台部に組込んだ温風発生部から吹き上げられる温風によって、気温の低い時や湿度の高い時でも、迅速に洗濯物を乾かすことが出来る。
（ｂ）　物干し器本体に、保温カバーを覆い被せることによって、洗濯物への伝熱効率を顕著に高められる。
（ｃ）　その分、電熱ヒーターとフアンとを備えた温風発生部の電力消費量を目立って節減出来る。
（ｄ）　支柱部に取付けたハンガー部及び補助ハンガーによって、保温カバー内の限られた空間に多量の洗濯物を効率的に収められる。
（ｅ）　保温カバーは、ズレ動かない様に、支柱部の上端に簡単・迅速に固定出来、又、取外せる。
（ｆ）　乾燥中に、万一、洗濯物が何らかのはずみでハンガーからズレ落ちても、基盤体の直上に配設した円錐形の安全カバーによって、洗濯物がヒーターを内蔵する基盤体に引っ掛かる恐れを無くせる。
（ｇ）　ハンガー部は、その高さ位置を任意に変えられ、又、補助ハンガーは脱・着出来るので、使い勝手がよい。
（ｈ）物干し器本体は、複数の部品を互いに螺止連結して組立られており、洋傘の骨組状に形成したハンガー部、及び保温カバーは折畳めるので、保管・輸送時には、極めてコンパクトにまとめられる。
（ｉ）“ドラム型洗濯機”タイプの電熱乾燥機に比べて、遙かに安く提供出来、電力消費量も少なく、衣類同士がこすれ合って傷むことも無く、洗濯物にしわが付かない。又、設置スペースの確保に困ることもない。
【図面の簡単な説明】
【図１】本考案の一実施例を示すもので、組立済みの物干し器本体の斜視図である。
【図２】同上、物干し器本体のハンガー部に洗濯物を掛けた状態の斜視図である。
【図３】同上、図２に示した状態の物干し器本体に、保温カバーを覆い被せた状態の斜視図である。
【図４】同上、覆い被せた保温カバーを、支柱部の上端に固定させる機構を説明した部分斜視図である。
【図５】同上、安全カバーの配設状態を示した部分斜視図である。
【図６】ハンガー部の構造が異なる、別の実施例としての物干し器本体に就いての、図２相当図である。
【符号の説明】
１０１，１０２　物干し器本体
２００　保温カバー
Ａ　基台部
Ｂ　支柱部
Ｃ　ハンガー部
Ｄ　補助ハンガー
Ｅ　安全カバー
Ｈ　衣類ハンガー
１　基盤体
２　棒状脚
３Ａ　下側支柱
３Ｂ　上側支柱
４　アーム
５　リンク部材
６　挿嵌リング
７　Ｈ形アーム
８　係合孔
９　摺動筒
１０　係合ノブ
１１　周壁面
１２　頂面
１３　底面
１４　切れ目
１５　止栓
１６　挿通孔
２１　周縁リング
２２　スポーク
ｂ　頂端開口部
【図１】
0003097827.tif 000003
【図２】
0003097827.tif 000004
【図３】
0003097827.tif 000005
【図４】
0003097827.tif 000006
【図５】
0003097827.tif 000007
【図６】
0003097827.tif 000008